(57)【要約】【課題】無線通信を介して空気調和機の制御データを書き換える際の書き換えエラーを低減すること。【解決手段】空気調和機は、制御データが格納される制御データ格納部、制御データの更新データが格納されるバッファ部、書き換え部、データ受信部、及び受信処理部を備える。書き換え部は、バッファ部に格納された更新データで、制御データ格納部に格納される制御データを書き換える書き換え処理を実行する。データ受信部は、送信機から複数回送信される更新データを、無線通信を介して受信する。更新データの受信時、受信処理部は、書き換え処理が実行されている最中か否かを判定し、書き換え処理の最中であれば受信した更新データを破棄し、書き換え処理の最中でなければ受信した更新データをバッファ部に格納する。【選択図】図４
2015172443.tif 000002
【特許請求の範囲】
【請求項１】
空調制御のための制御データが格納される制御データ格納部と、
前記制御データの更新データが格納されるバッファ部と、
前記バッファ部に格納された前記更新データで、前記制御データ格納部に格納される前記制御データを書き換える書き換え処理を実行する書き換え部と、
送信機から複数回送信される前記更新データを、無線通信を介して受信するデータ受信部と、
前記更新データの受信時、前記書き換え処理が実行されている最中か否かを判定し、前記書き換え処理の最中であれば前記受信した更新データを破棄し、前記書き換え処理の最中でなければ前記受信した更新データを前記バッファ部に格納する受信処理部と
を備える
空気調和機。
【請求項２】
前記書き換え処理を許可するか禁止するかを決定する書き換え決定部
を更に備え、
前記書き換え決定部によって許可された場合に、前記書き換え部は、前記書き換え処理を実行する
請求項１に記載の空気調和機。
【請求項３】
前記書き換え決定部は、前記受信した更新データが自機種用か否かを判定する種別判定部を備え、
前記受信した更新データが自機種用である場合、前記書き換え決定部は、前記書き換え処理を許可する
請求項２に記載の空気調和機。
【請求項４】
自機種の識別情報が格納されるＩＤ格納部
を更に備え、
前記更新データには、前記書き換え処理の対象である空気調和機の識別情報が付与され、
前記種別判定部は、前記受信した更新データに付与された前記識別情報が前記ＩＤ格納部に格納されている前記識別情報と一致するか否かに基づいて、前記受信した更新データが自機種用か否かを判定する
請求項３に記載の空気調和機。
【請求項５】
前記書き換え決定部は、前記空気調和機のパワーＯＮからの経過時間が一定時間を超えたか否かを判定する経過時間判定部を備え、
前記経過時間が前記一定時間を超えた場合、前記書き換え決定部は、前記書き換え処理を禁止する
請求項２から４のいずれか一項に記載の空気調和機。
【請求項６】
前記書き換え決定部は、前記受信した更新データに受信エラーがあるか否かを判定する受信エラー判定部を備え、
前記受信エラーが無い場合、前記書き換え決定部は、前記書き換え処理を許可する
請求項２から５のいずれか一項に記載の空気調和機。
【請求項７】
前記書き換え処理の完了をユーザに通知する通知部
を更に備える
請求項１から６のいずれか一項に記載の空気調和機。
【請求項８】
制御データに基づいて空調制御を行う空気調和機と、
前記制御データの更新データを、無線通信により複数回送信する送信機と
を備え、
前記空気調和機は、
前記制御データが格納される制御データ格納部と、
前記更新データが格納されるバッファ部と、
前記バッファ部に格納された前記更新データで、前記制御データ格納部に格納される前記制御データを書き換える書き換え処理を実行する書き換え部と、
前記送信機から送信される前記更新データを、無線通信を介して受信するデータ受信部と、
前記更新データの受信時、前記書き換え処理が実行されている最中か否かを判定し、前記書き換え処理の最中であれば前記受信した更新データを破棄し、前記書き換え処理の最中でなければ前記受信した更新データを前記バッファ部に格納する受信処理部と
を備える
空気調和機システム。
【請求項９】
空気調和機のコントローラによって実行される書き換え制御プログラムであって、
前記コントローラは、
空調制御のための制御データが格納される制御データ格納部と、
前記制御データの更新データが格納されるバッファ部と、
送信機から複数回送信される前記更新データを、無線通信を介して受信するデータ受信部と
を備え、
前記書き換え制御プログラムは、
前記バッファ部に格納された前記更新データで、前記制御データ格納部に格納される前記制御データを書き換える書き換え処理を実行するステップと、
前記更新データの受信時、前記書き換え処理が実行されている最中か否かを判定するステップと、
前記書き換え処理の最中であれば、前記受信した更新データを破棄し、前記書き換え処理の最中でなければ前記受信した更新データを前記バッファ部に格納するステップと
を前記コントローラに実行させる
書き換え制御プログラム。
【発明の詳細な説明】
【技術分野】
【０００１】
本発明は、空気調和機の制御データの書き換えを行う技術に関する。
【背景技術】
【０００２】
空気調和機は、制御データ（制御プログラムを含む）に基づいて空調制御を行う。その制御データの書き換えに関する技術として、次のものが知られている。
【０００３】
特許文献１は、無線通信を介して制御プログラムを書き換える技術を開示している。具体的には、制御プログラムは、書き換え可能な不揮発性メモリに格納され、ワイヤレスリモコンから送信される無線信号によって書き換えられる。
【０００４】
特許文献２は、保守管理センターが多数の空気調和機を集中管理する技術を開示している。制御プログラムの更新時、保守管理センターは、インターネットや無線通信を介して、運転停止している空気調和機の制御プログラムを書き換える。
【０００５】
特許文献３は、制御データの誤書き込みを防止する技術を開示している。具体的には、空気調和機の機種毎にＩＤコードが割り当てられ、制御データの書き換え指示には書き換え対象のＩＤコードが付与される。そして、ＩＤコードが一致した場合、制御データの書き換えが行われる。
【先行技術文献】
【特許文献】
【０００６】
【特許文献１】特開平１１−２０１５３３号公報
【特許文献２】特開２００４−１６３１０２号公報
【特許文献３】特開２００１−２４１７３８号公報
【発明の概要】
【発明が解決しようとする課題】
【０００７】
無線通信を介した空気調和機の制御データの書き換えは、作業効率の点で優れている。しかしながら、無線通信の場合、通信途絶が発生する可能性がある。通信途絶が発生すると、制御データの転送が正常に完了せず、書き換えエラーが発生する。
【０００８】
本発明の１つの目的は、無線通信を介して空気調和機の制御データを書き換える際の書き換えエラーを低減することができる技術を提供することにある。
【課題を解決するための手段】
【０００９】
本発明の１つの観点において、空気調和機が提供される。その空気調和機は、制御データ格納部、バッファ部、書き換え部、データ受信部、及び受信処理部を備える。制御データ格納部には、空調制御のための制御データが格納される。バッファ部には、制御データの更新データが格納される。書き換え部は、バッファ部に格納された更新データで、制御データ格納部に格納される制御データを書き換える書き換え処理を実行する。データ受信部は、送信機から複数回送信される更新データを、無線通信を介して受信する。更新データの受信時、受信処理部は、書き換え処理が実行されている最中か否かを判定し、書き換え処理の最中であれば受信した更新データを破棄し、書き換え処理の最中でなければ受信した更新データをバッファ部に格納する。
【００１０】
本発明の他の観点において、空気調和機システムが提供される。空気調和機システムは、制御データに基づいて空調制御を行う空気調和機と、制御データの更新データを無線通信により複数回送信する送信機と、を備える。空気調和機は、制御データが格納される制御データ格納部、更新データが格納されるバッファ部、書き換え部、データ受信部、及び受信処理部を備える。書き換え部は、バッファ部に格納された更新データで、制御データ格納部に格納される制御データを書き換える書き換え処理を実行する。データ受信部は、送信機から送信される更新データを、無線通信を介して受信する。更新データの受信時、受信処理部は、書き換え処理が実行されている最中か否かを判定し、書き換え処理の最中であれば受信した更新データを破棄し、書き換え処理の最中でなければ受信した更新データをバッファ部に格納する。
【００１１】
本発明の更に他の観点において、空気調和機のコントローラによって実行される書き換え制御プログラムが提供される。コントローラは、空調制御のための制御データが格納される制御データ格納部と、制御データの更新データが格納されるバッファ部と、送信機から複数回送信される更新データを無線通信を介して受信するデータ受信部と、を備える。書き換え制御プログラムは、（Ａ）バッファ部に格納された更新データで、制御データ格納部に格納される制御データを書き換える書き換え処理を実行するステップと、（Ｂ）更新データの受信時、書き換え処理が実行されている最中か否かを判定するステップと、（Ｃ）書き換え処理の最中であれば、受信した更新データを破棄し、書き換え処理の最中でなければ受信した更新データをバッファ部に格納するステップと、をコントローラに実行させる。
【発明の効果】
【００１２】
本発明によれば、無線通信を介して空気調和機の制御データを書き換える際の書き換えエラーを低減することが可能となる。
【図面の簡単な説明】
【００１３】
【図１】図１は、本発明の実施の形態１に係る空気調和機システムを示す概略図である。
【図２】図２は、本発明の実施の形態１における送信機からの更新データの送信を示す概念図である。
【図３】図３は、本発明の実施の形態１に係る空気調和機の構成例を示すブロック図である。
【図４】図４は、本発明の実施の形態１に係る空気調和機の機能構成を示すブロック図である。
【図５】図５は、本発明の実施の形態１における制御データの書き換え制御を示すフローチャートである。
【図６】図６は、本発明の実施の形態２における更新データを示す概念図である。
【図７】図７は、本発明の実施の形態２に係る空気調和機の機能構成を示すブロック図である。
【図８】図８は、本発明の実施の形態２における制御データの書き換え制御を示すフローチャートである。
【図９】図９は、本発明の実施の形態３に係る空気調和機の機能構成を示すブロック図である。
【図１０】図１０は、本発明の実施の形態４に係る空気調和機の機能構成を示すブロック図である。
【図１１】図１１は、本発明の実施の形態５に係る空気調和機の機能構成を示すブロック図である。
【発明を実施するための形態】
【００１４】
添付図面を参照して、本発明の実施の形態を説明する。
【００１５】
実施の形態１．
図１は、本発明の実施の形態１に係る空気調和機システムを示す概略図である。空気調和機システムは、空気調和機１と送信機２を備えている。空気調和機１と送信機２とは、互いに無線通信可能なように接続されている。例えば、空気調和機１と送信機２は、無線ＬＡＮ等の高速無線通信ネットワークを介して、互いに接続されている。
【００１６】
空気調和機１は、制御データＣＯＮに基づいて空調制御を行う。典型的には、制御データＣＯＮは、空気調和機１のプロセッサによって実行される制御プログラムである。但し、制御データＣＯＮは、制御プログラムだけに限られず、空調制御に必要な他の種類のデータを含んでいてもよい。すなわち、本実施の形態において、制御データＣＯＮとは、空気調和機１による空調制御に用いられるデータであり、制御プログラムを含む広い概念である。
【００１７】
この制御データＣＯＮは、必要に応じて書き換えられる。新たな制御データＣＯＮは、以下「更新データＣＯＮ’」と参照される。すなわち、更新データＣＯＮ’は、更新（書き換え）用の制御データＣＯＮである。
【００１８】
この更新データＣＯＮ’を送信するのが、送信機２である。すなわち、送信機２は、無線通信によって、更新データＣＯＮ’を空気調和機１に送信する。空気調和機１は、無線通信によって、更新データＣＯＮ’を送信機２から受信する。そして、空気調和機１は、受信した更新データＣＯＮ’で制御データＣＯＮを書き換える。
【００１９】
本実施の形態によれば、送信機２は、更新データＣＯＮ’を複数回送信する。例えば図２に示されるように、送信機２は、更新データＣＯＮ’の送信を、一定間隔（Ｘ秒）毎に、ｎ回実施する。ここで、ｎは２以上の整数である。繰り返し回数ｎや送信間隔Ｘは、送信機２側で可変に設定可能である。
【００２０】
図３は、本実施の形態に係る空気調和機１の構成例を示すブロック図である。空気調和機１は、受信装置１０、表示装置２０、報知装置３０、及びコントローラ４０を備えている。
【００２１】
受信装置１０は、送信機２から送信される無線信号を受信する。表示装置２０は、空気調和機１の運転状態等をユーザに通知するためのものであり、ディスプレイやＬＥＤが例示される。報知装置３０としては、ブザーが例示される。
【００２２】
コントローラ４０は、空気調和機１全体の動作を制御するための制御装置である。例えば、コントローラ４０はマイクロコンピュータである。このコントローラ４０は、制御データＣＯＮに基づいて空調制御を行う。また、コントローラ４０は、書き換え制御プログラムを実行することによって、後述される制御データＣＯＮの書き換え制御を行う。
【００２３】
より詳細には、コントローラ４０は、Ｉ／Ｏインタフェース５０、ＣＰＵ６０、及び記憶装置７０を備えている。Ｉ／Ｏインタフェース５０は、受信装置１０、表示装置２０、及び報知装置３０に接続されている。ＣＰＵ６０は、Ｉ／Ｏインタフェース５０を介して、受信装置１０、表示装置２０、及び報知装置３０とデータ通信を行うことができる。また、ＣＰＵ６０は、記憶装置７０にアクセス可能である。
【００２４】
記憶装置７０は、不揮発性メモリ７１、ＲＡＭ７２、及びマスクＲＯＭ７３を含んでいる。不揮発性メモリ７１は、データ書き換え可能な不揮発性メモリであり、フラッシュメモリやＥＥＰＲＯＭが例示される。この不揮発性メモリ７１は、制御データＣＯＮの格納に用いられる。ＲＡＭ７２は、一時的なデータの格納に用いられる。マスクＲＯＭ７３は、各種パラメータやプログラムの格納に用いられる。
【００２５】
ＣＰＵ６０は、不揮発性メモリ７１に格納された制御データＣＯＮに基づいて空調制御を行う。また、ＣＰＵ６０は、書き換え制御プログラムを実行し、後述される制御データＣＯＮの書き換え制御を行う。この書き換え制御プログラムは、不揮発性メモリ７１あるいはマスクＲＯＭ７３に格納される。あるいは、書き換え制御プログラムは、コンピュータ読み取り可能な記録媒体に格納されてもよい。
【００２６】
図４は、本実施の形態に係る空気調和機１の機能構成を示すブロック図である。空気調和機１は、処理部１００及び記憶部２００を備えている。
【００２７】
記憶部２００は、各種データを格納する機能ブロックであり、バッファ部２１０及び制御データ格納部２２０を備えている。
【００２８】
バッファ部２１０には、送信機２から受信した更新データＣＯＮ’が格納される。このバッファ部２１０は、ＲＡＭ７２により実現される。
【００２９】
制御データ格納部２２０には、制御データＣＯＮが格納される。この制御データ格納部２２０は、不揮発性メモリ７１により実現される。
【００３０】
処理部１００は、各種データ処理を行う機能ブロックであり、データ受信部１１０、受信処理部１２０、書き換え部１４０、及び通知部１５０を備えている。
【００３１】
データ受信部１１０は、送信機２から送信される更新データＣＯＮ’を、無線通信を介して受信する。このデータ受信部１１０は、受信装置１０により実現される。
【００３２】
書き換え部１４０は、「書き換え処理」を実施する。具体的には、書き換え部１４０は、バッファ部２１０に格納された更新データＣＯＮ’で、制御データ格納部２２０に格納される制御データＣＯＮを書き換える（更新する）。この書き換え部１４０は、ＣＰＵ６０が書き換え制御プログラムを実行することにより実現される。
【００３３】
受信処理部１２０は、データ受信部１１０が更新データＣＯＮ’を受信した際に、書き換え部１４０によって書き換え処理が実行されている最中か否かを判定する。書き換え処理の最中であれば、受信処理部１２０は、受信した更新データＣＯＮ’を破棄する。一方、書き換え処理の最中でなければ、受信処理部１２０は、受信した更新データＣＯＮ’をバッファ部２１０に格納する。この受信処理部１２０は、ＣＰＵ６０が書き換え制御プログラムを実行することにより実現される。
【００３４】
通知部１５０は、書き換え部１４０による書き換え処理の完了をユーザに通知する。この通知部１５０は、表示装置２０や報知装置３０により実現される。
【００３５】
図５は、本実施の形態における制御データＣＯＮの書き換え制御を示すフローチャートである。
【００３６】
ステップＳ１：
空気調和機１がパワーＯＮされる。コントローラ４０は、パワーオンリセットする。
【００３７】
ステップＳ２：
データ受信部１１０は、送信機２から無線通信によって送られてくる更新データＣＯＮ’を待つ（ステップＳ２；Ｎｏ）。更新データＣＯＮ’を受信すると（ステップＳ２；Ｙｅｓ）、データ受信部１１０は、受信した更新データＣＯＮ’を受信処理部１２０に渡す。その後、処理はステップＳ３に進む。
【００３８】
ステップＳ３：
更新データＣＯＮ’を受け取ると、受信処理部１２０は、書き換え部１４０によって書き換え処理が実行されている最中か否かを判定する。書き換え処理の最中であれば（ステップＳ３；Ｙｅｓ）、処理はステップＳ１０に進み、受信処理部１２０は、受信した更新データＣＯＮ’を破棄する。一方、書き換え処理の最中でなければ（ステップＳ３；Ｎｏ）、処理はステップＳ４に進む。
【００３９】
ステップＳ４：
受信処理部１２０は、受信した更新データＣＯＮ’をバッファ部２１０に格納する。バッファ部２１０を利用することにより、無線通信を通した更新データＣＯＮ’の高速受信にも対応することが可能である。バッファ部２１０への更新データＣＯＮ’の格納が完了すると、処理はステップＳ５に進む。
【００４０】
ステップＳ５：
書き換え部１４０は、書き換え処理を実施する。つまり、書き換え部１４０は、バッファ部２１０に格納された更新データＣＯＮ’で、制御データ格納部２２０に格納される制御データＣＯＮを書き換える（更新する）。書き換え処理が完了すると、処理はステップＳ６に進む。
【００４１】
ステップＳ６：
通知部１５０は、書き換え処理の完了をユーザに通知する。例えば、通知部１５０は、完了をディスプレイに表示したり、ブザーを鳴動させたりする。
【００４２】
以上に説明されたように、本実施の形態によれば、更新データＣＯＮ’は、無線通信によって送信機２から空気調和機１に送られる。空気調和機１は、送信機２から受信した更新データＣＯＮ’に基づいて、制御データＣＯＮの書き換えを行う。
【００４３】
このような無線通信の利用は、作業効率の点で優れている。また、無線ＬＡＮ等の高速無線通信ネットワークを利用すれば、多数の空気調和機１に対して高速に更新データＣＯＮ’を配布することができ、好適である。また、空気調和機１は、更新データＣＯＮ’を一時格納するためのバッファ部２１０を備えているため、更新データＣＯＮ’の高速受信にも対応することが可能である。
【００４４】
更に、本実施の形態によれば、空気調和機１が、更新データＣＯＮ’の受信時に書き換え処理が実行されている最中か否かを判定する機能を備えている。書き換え処理の最中であれば、受信した更新データＣＯＮ’は破棄される。空気調和機１がこのような機能を備えているため、送信機２は、更新データＣＯＮ’を複数回送信することが可能となる（図２参照）。空気調和機１が更新データＣＯＮ’を続けて受信したとしても、書き換え処理が正常に実行中であれば、後続の更新データＣＯＮ’がその書き換え処理を邪魔することはない。
【００４５】
そして、送信機２が更新データＣＯＮ’を複数回送信することは、無線通信の途絶が発生した場合に有効である。ある期間において無線通信の途絶が発生したとしても、更新データＣＯＮ’が複数回送信されるため、空気調和機１が更新データＣＯＮ’を正常に受信する確率が極めて高くなる。従って、無線通信を介して制御データＣＯＮを書き換える際の書き換えエラーが低減される。言い換えれば、空気調和機１の信頼性が向上する。
【００４６】
実施の形態２．
本発明の実施の形態２では、空気調和機１は、書き換え部１４０による「書き換え処理」を許可するか禁止するかを、所定の基準に基づいて決定する。その所定の基準として、例えば、受信した更新データＣＯＮ’が自機種用か否かが挙げられる。つまり、受信した更新データＣＯＮ’が自機種用である場合のみ、空気調和機１は、制御データＣＯＮの書き換えを許可する。
【００４７】
より詳細には、空気調和機１にはＩＤコード（識別情報）があらかじめ割り当てられる。例えば、ＩＤコードは、空気調和機１の機種毎に異なっている。また、図６に示されるように、送信機２から送信される更新データＣＯＮ’には、書き換え処理の対象である空気調和機１のＩＤコードが付与される。
【００４８】
図７は、本実施の形態に係る空気調和機１の機能構成を示すブロック図である。上述の実施の形態１と重複する説明は適宜省略される。図７に示されるように、上述の実施の形態１と比較して、処理部１００は更に書き換え決定部１３０を備えており、記憶部２００は更にＩＤ格納部２３０を備えている。
【００４９】
ＩＤ格納部２３０には、空気調和機１のＩＤコードが格納される。このＩＤ格納部２３０は、マスクＲＯＭ７３あるいは不揮発性メモリ７１により実現される。
【００５０】
書き換え決定部１３０は、書き換え部１４０による「書き換え処理」を許可するか禁止するかを決定する。書き換え決定部１３０によって許可された場合、書き換え部１４０は、書き換え処理を実行する。書き換え決定部１３０によって禁止された場合、書き換え部１４０は、書き換え処理を実行しない。この書き換え決定部１３０は、ＣＰＵ６０が書き換え制御プログラムを実行することにより実現される。
【００５１】
本実施の形態では、書き換え決定部１３０は、種別判定部１３１を備えている。種別判定部１３１は、受信した更新データＣＯＮ’が自機種用であるか否かを判定する。具体的には、種別判定部１３１は、受信した更新データＣＯＮ’に付与されたＩＤコードがＩＤ格納部２３０に格納されているＩＤコードと一致するか否かを判定する。ＩＤコードが一致する場合、種別判定部１３１は、受信した更新データＣＯＮ’が自機種用であると判定し、書き換え決定部１３０は、書き換え処理を許可する。一方、ＩＤコードが不一致の場合、種別判定部１３１は、受信した更新データＣＯＮ’が自機種用ではないと判定し、書き換え決定部１３０は、書き換え処理を禁止する。
【００５２】
図８は、本実施の形態における制御データＣＯＮの書き換え制御を示すフローチャートである。上述の実施の形態１と重複する説明は適宜省略される。図８に示されるように、上述の実施の形態１と比較して、ステップＳ７，Ｓ８が追加されている。
【００５３】
ステップＳ７：
書き換え決定部１３０は、書き換え部１４０による「書き換え処理」を許可するか禁止するかを決定する。より詳細には、種別判定部１３１は、受信した更新データＣＯＮ’に付与されたＩＤコードがＩＤ格納部２３０に格納されているＩＤコードと一致するか否かを判定する。
【００５４】
ＩＤコードが一致する場合、種別判定部１３１は、受信した更新データＣＯＮ’が自機種用であると判定する。この場合、書き換え決定部１３０は、書き換え処理を許可する（ステップＳ７；Ｙｅｓ）。その後、処理はステップＳ５に進み、書き換え部１４０は書き換え処理を実行する。
【００５５】
一方、ＩＤコードが不一致の場合、種別判定部１３１は、受信した更新データＣＯＮ’が自機種用ではないと判定する。この場合、書き換え決定部１３０は、書き換え処理を禁止する（ステップＳ７；Ｎｏ）。その後、処理はステップＳ８に進む。
【００５６】
ステップＳ８：
通知部１５０は、書き換え処理が実施されなかったことをユーザに通知する。例えば、通知部１５０は、書き換え処理が実施されなかったことをディスプレイに表示したり、ブザーを鳴動させたりする。その後、処理はステップＳ１０に進み、書き換え決定部１３０は、受信した更新データＣＯＮ’を破棄する。この場合、書き換え部１４０による書き換え処理は実行されない。
【００５７】
尚、図８で示されるフローでは、ステップＳ７及びＳ８はステップＳ４の後に実施される。しかしながら、ステップＳ２とステップＳ５との間であれば、ステップＳ７及びＳ８はどのタイミングで実施されても構わない。
【００５８】
本実施の形態によれば、制御データＣＯＮの誤書き換えを防止することが可能となる。また、同一エリア内に複数の機種が混在する場合に、所望の機種に対してだけ選択的に制御データＣＯＮの書き換えを実施することが可能となる。
【００５９】
実施の形態３．
本発明の実施の形態３でも、空気調和機１は、書き換え部１４０による「書き換え処理」を許可するか禁止するかを、所定の基準に基づいて決定する。本実施の形態では、その所定の基準は、空気調和機１のパワーＯＮ（元電源ＯＮ）からの経過時間が一定時間を超えたか否かである。その経過時間が一定時間を超えた場合、空気調和機１は、制御データＣＯＮの書き換えを“禁止”する。
【００６０】
図９は、本実施の形態に係る空気調和機１の機能構成を示すブロック図である。上述の実施の形態１，２と重複する説明は適宜省略される。図９に示されるように、上述の実施の形態１と比較して、処理部１００は更に書き換え決定部１３０を備えており、記憶部２００は更に許容時間格納部２４０を備えている。
【００６１】
許容時間格納部２４０には、許容時間を示す情報が格納される。この許容時間格納部２４０は、マスクＲＯＭ７３あるいは不揮発性メモリ７１により実現される。
【００６２】
本実施の形態では、書き換え決定部１３０は、経過時間判定部１３２を備えている。経過時間判定部１３２は、空気調和機１のパワーＯＮからの経過時間が、許容時間格納部２４０に格納された情報で示される許容時間を超えたか否かを判定する。経過時間が許容時間以下である場合、書き換え決定部１３０は、書き換え処理を許可する（図８、ステップＳ７：Ｙｅｓ）。一方、経過時間が許容時間を超えた場合、書き換え決定部１３０は、書き換え処理を禁止する（図８、ステップＳ７：Ｎｏ）。
【００６３】
本実施の形態は、例えば、同一エリア内に動作確認あるいは試験中の空気調和機１とそれ以外の空気調和機１とが混在する場合に有用である。商用ラインでは、アクチュエータ動作確認が実施される場合があり、開発試験室では、長時間試験が実施される場合がある。そのような動作確認あるいは試験中の空気調和機１において、制御データＣＯＮを書き換えるのは好ましくない。本実施の形態によれば、許容時間を適切に設定することによって、動作確認あるいは試験中の空気調和機１については制御データＣＯＮの書き換えを防ぐことが可能となる。
【００６４】
実施の形態４．
図１０は、本発明の実施の形態４に係る空気調和機１の機能構成を示すブロック図である。上述の実施の形態１，２と重複する説明は適宜省略される。
【００６５】
本実施の形態では、書き換え決定部１３０は、受信エラー判定部１３３を備えている。受信エラー判定部１３３は、受信した更新データＣＯＮ’に受信エラーがあるか否かを判定する。例えば、受信エラー判定部１３３は、受信した更新データＣＯＮ’に関してチェックサム演算を行うことにより、受信エラーがあるか否かを判定することができる。受信エラーが無い場合、書き換え決定部１３０は、書き換え処理を許可する（図８、ステップＳ７：Ｙｅｓ）。一方、受信エラーが有る場合、書き換え決定部１３０は、書き換え処理を禁止する（図８、ステップＳ７：Ｎｏ）。
【００６６】
本実施の形態によれば、制御データＣＯＮの書き換えエラーが更に低減される。
【００６７】
実施の形態５．
既出の実施の形態２〜４を適宜組み合わせることも可能である。例えば、図１１は、既出の実施の形態２〜４の全てを組み合わせた場合を示している。
【００６８】
実施の形態６．
既出の実施の形態において、データ受信部１１０は、特定周波数の無線信号のみを受信可能であってもよい。その特定周波数は、空気調和機１の機種毎に異なる値に設定される。送信機２は、所望の機種に割り当てられた特定周波数の無線信号によって、更新データＣＯＮ’を送信する。これにより、同一エリア内に複数の機種が混在する場合に、所望の機種に対してだけ選択的に制御データＣＯＮの書き換えを実施することが可能となる。
【００６９】
以上、本発明の実施の形態が添付の図面を参照することにより説明された。但し、本発明は、上述の実施の形態に限定されず、要旨を逸脱しない範囲で当業者により適宜変更され得る。
【符号の説明】
【００７０】
１  空気調和機、２  送信機、１０  受信装置、２０  表示装置、３０  報知装置、４０  コントローラ、５０  Ｉ／Ｏインタフェース、６０  ＣＰＵ、７０  記憶装置、７１  不揮発性メモリ、７２  ＲＡＭ、７３  マスクＲＯＭ、１００  処理部、１１０  データ受信部、１２０  受信処理部、１３０  書き換え決定部、１３１  種別判定部、１３２  経過時間判定部、１３３  受信エラー判定部、１４０  書き換え部、１５０  通知部、２００  記憶部、２１０  バッファ部、２２０  制御データ格納部、２３０  ＩＤ格納部、２４０  許容時間格納部、ＣＯＮ  制御データ、ＣＯＮ’  更新データ。
【図１】
2015172443.tif 000003
【図２】
2015172443.tif 000004
【図３】
2015172443.tif 000005
【図４】
2015172443.tif 000006
【図５】
2015172443.tif 000007
【図６】
2015172443.tif 000008
【図７】
2015172443.tif 000009
【図８】
2015172443.tif 000010
【図９】
2015172443.tif 000011
【図１０】
2015172443.tif 000012
【図１１】
2015172443.tif 000013